(57)【要約】【課題】  汚物混入の汚水の浄化を確実に向上させる汚物処理装置を提供すること。【解決手段】  本発明の汚物処理装置は、清水を貯留する清水タンク１１と、清水タンク１１よりの清水に汚物を混入し汚水を流出する汚物貯留槽である便座１２と、便座１２よりの汚水を流入し浄化を行なう浄化ユニット２０とを備え、浄化ユニット２０は、汚水に混合した汚物を粉砕するとともに流入するオゾンをマイクロバブルとしマイクロバブル混入の汚水を圧送する汚水圧送ポンプ２３と、汚水圧送ポンプ２３よりのマイクロバブル混入の汚水を予め設けた活性炭２４ａに送付し通過させ清水タンク１１に戻すラジカル発生槽２４を設けることとした。【選択図】図１
2016079781.tif 000002
【特許請求の範囲】
【請求項１】
清水を貯留する清水タンクと、前記清水タンクよりの前記清水に汚物を混入し汚水を流出する汚物貯留槽と、前記汚物貯留槽よりの汚水を流入し浄化を行なう浄化ユニットとを備え、前記浄化ユニットは、前記汚水に混合した汚物を粉砕するとともに流入するオゾンをマイクロバブルとしマイクロバブル混入の汚水を圧送する汚水圧送ポンプと、前記汚水圧送ポンプよりの前記マイクロバブル混入の前記汚水を予め設けた活性炭に送付しラジカルを発生させ前記清水タンクに戻すラジカル発生槽を設けたことを特徴とする汚物処理装置。
【請求項２】
前記浄化ユニットは、複数個直列に接続し流入する前記汚水を順次浄化し前記清水タンクに戻すこととしたことを特徴とする請求項１に記載の汚物処理装置。
【請求項３】
前記汚物貯留槽は、トイレの便座とすることを特徴とする請求項１に記載の汚物処理装置。
【発明の詳細な説明】
【技術分野】
【０００１】  本発明は、汚物混入の汚水の浄化を確実に向上させる汚物処理装置に関する。
【背景技術】
【０００２】  従来の汚物処理装置には、水洗便器などの汚水源からの汚物を微生物で有機分解した後に沈殿槽で沈殿分離し循環使用するものがある（例えば、特許文献１参照）。
【先行技術文献】
【特許文献】
【０００３】
【特許文献１】  特開平５−２３０８５８号公報
【発明の概要】
【発明が解決しようとする課題】
【０００４】  しかしながら、従来の汚物処理装置は、微生物による有機分解と沈殿槽での沈殿分離を汚物混入の汚水につき行っているが、汚水の状況によっては浄化が不十分となることがあった。
本発明の汚物処理装置は、上記に鑑みてなされたものであって、汚物混入の汚水の浄化を確実に向上させる汚物処理装置を提供することを目的とする。
【課題を解決するための手段】
【０００５】  本発明の汚物処理装置は、清水を貯留する清水タンクと、前記清水タンクよりの前記清水に汚物を混入し汚水を流出する汚物貯留槽と、前記汚物貯留槽よりの汚水を流入し浄化を行なう浄化ユニットとを備え、前記浄化ユニットは、前記汚水に混合した汚物を粉砕するとともに流入するオゾンをマイクロバブルとしマイクロバブル混入の汚水を圧送する汚水圧送ポンプと、前記汚水圧送ポンプよりの前記マイクロバブル混入の前記汚水を予め設けた活性炭に送付しラジカルを発生させ前記清水タンクに戻すラジカル発生槽を設けることとした。
また、前記浄化ユニットは、複数個直列に接続し流入する前記汚水を順次浄化し前記清水タンクに戻すこととした。
さらに、前記汚物貯留槽は、トイレの便座とすることとした。
【発明の効果】
【０００６】  本発明の汚物処理装置は、清水を貯留する清水タンクと、前記清水タンクよりの前記清水に汚物を混入し汚水を流出する汚物貯留槽と、前記汚物貯留槽よりの汚水を流入し浄化を行なう浄化ユニットとを備え、前記浄化ユニットは、前記汚水に混合した汚物を粉砕するとともに流入するオゾンをマイクロバブルとしマイクロバブル混入の汚水を圧送する汚水圧送ポンプと、前記汚水圧送ポンプよりの前記マイクロバブル混入の前記汚水を予め設けた活性炭に送付しラジカルを発生させ前記清水タンクに戻すラジカル発生槽を設けることとしたため、簡潔構造で確実に汚物混入の汚水を浄化することができる。
また、前記浄化ユニットは、複数個直列に接続し流入する前記汚水を浄化し前記清水タンクに戻すこととしたため、簡潔構造でより確実に汚物混入の汚水を順次浄化することができる。
さらに、前記汚物貯留槽は、トイレの便座とすることとしたため、列車やバスなどの乗り物に使用し汚物混入の汚水を的確に浄化することができる。
【図面の簡単な説明】
【０００７】
【図１】  本発明の第１の実施形態の汚物処理装置のブロック図を示す。
【図２】  本発明の第２の実施形態の汚物処理装置のブロック図を示す。
【０００８】  以下、本発明の第１、第２の実施の形態の汚物処理装置につき説明する。
【実施例】
【０００９】  図１は、本発明の第１の実施形態の汚物処理装置のブロック図を示す。
図１に示すように、本発明の第１の実施形態の汚物処理装置１０は、清水タンク１１と、汚物貯留槽であるトイレの便座１２と、浄化ユニット２０とで構成されている。
清水タンク１１は、水道水などの清水を貯留し、貯留槽である便座１２は、清水タンク１１よりの清水に汚物を混入した汚水を流出する。
浄化ユニット２０は、便座１２よりの汚水を流入し浄化を行なうものであり、便座１２よりの汚水に混合した汚物を粉砕するとともにストリーマ放電発生器２１より流入するオゾンをマイクロバブルとしマイクロバブル混入の汚水を圧送する汚水圧送ポンプ２３と、汚水圧送ポンプ２３よりのマイクロバブル混入の汚水を内部に設けた活性炭２４ａに送付してラジカルを発生させ、清水タンク１１に戻すラジカル発生槽２４とで構成されている。【００１０】  次に本発明の第１の実施形態の汚物処理装置１０の動作につき説明する。
清水タンク１１は、水道水などの清水を貯留し、貯留した清水は送水管３１により便座１２に流入し糞尿などの汚物が混入される。便座１２よりの汚物が混入した汚水は送水管３２により浄化ユニット２０に流入する。
浄化ユニット２０は、便座１２よりの汚物が混入した汚水が送水管３２を通り浄化ユニット２０に設けられた汚水圧送ポンプ２３に流入し、便座１２よりの汚水に混合した汚物を駆動モータ２２による駆動の駆動刃（図示せず）により粉砕するとともに、ストリーマ放電発生器２１より送水管３３及び送水管３３と接続する送水管３２とにより流入するオゾンをマイクロバブルとしマイクロバブル混入の汚水を駆動モータ２２による駆動の駆動ファン（図示せず）により圧送する。
さらに、浄化ユニット２０は、汚水圧送ポンプ２３より圧送の汚物が粉砕されオゾンのマイクロバブル混入の汚水を送水管３５によりラジカル発生槽２４に送入し、ラジカル発生槽２４は汚水圧送ポンプ２３よりのオゾンのマイクロバブル混入の汚水を活性炭２４ａに送付してラジカルを発生させ清水タンク１１に送水管３６を通り戻される。
ラジカル発生槽２４は、汚水圧送ポンプ２３よりの汚物が粉砕されオゾンのマイクロバブル混入の汚水を活性炭２４ａに送付してラジカルを発生させ、ラジカルにより汚物が混入した汚水の分解、脱色、脱臭などの浄化が行われる。【００１１】  従って、本発明の第１の実施形態の汚物処理装置１０は、トイレの便座１２よりの汚物が混入した汚水が浄化ユニット２０により浄化され、簡潔構造で確実に汚物混入の汚水を浄化することができる。
また、浄化ユニット２０により浄化された浄化水は清水タンク１１に戻された浄化水は清水として再び使用することができる。
また、本発明の第１の実施形態の汚物処理装置１０は、トイレの便座の汚物処理を行うこととしたため、列車やバスなどの乗り物に使用し汚物混入の汚水を的確に浄化することができる。
さらに、本発明の第１の実施形態の汚物処理装置１０は、トイレの便座に限らず各種の汚物貯留槽に使用することもできる。【００１２】  図２は、本発明の第２の実施形態の汚物処理装置のブロック図を示す。
図２に示すように、本発明の第２の実施形態の汚物処理装置５０は、清水タンク１１と、汚物貯留槽である便座１２と、浄化ユニット２０Ａ、浄化ユニット２０Ｂとで構成されている。
清水タンク１１は、水道水などの清水を貯留し、汚物貯留槽である便座１２は、清水タンク１１よりの清水に汚物を混入した汚水を流出する。
浄化ユニット２０Ａは、便座１２よりの汚水を送出管３２により流入し浄化を行なうものであり、本発明の第１の実施形態の汚物処理装置１０と同様に構成され、浄化ユニット２０Ｂは、浄化ユニット２０Ａと接続し送出管３７により浄化ユニット２０Ａより流出の流出水の浄化をさらに行なうものであり、本発明の第１の実施形態の汚物処理装置１０と同様に構成されている。【００１３】  次に本発明の第２の実施形態の汚物処理装置５０の動作につき説明する。
清水タンク１１は、水道水などの清水を貯留し、貯留した清水は送水管３１により便座１２に流入し糞尿などの汚物が混入される。便座１２よりの汚物が混入した汚水は送水管３２により浄化ユニット２０Ａに流入する。
浄化ユニット２０Ａは、便座１２よりの汚物が混入した汚水が送水管３２を通り流入し、便座１２よりの汚水に混合した汚物を粉砕するとともに、流入するオゾンをマイクロバブルとしマイクロバブル混入の汚水に活性炭によりラジカルを発生させ、汚物が混入した汚水の分解、脱色、脱臭などの浄化が行われる。【００１４】  浄化ユニット２０Ｂは、浄化ユニット２０Ａと送水管３７により接続し、浄化ユニット２０Ａよりの流出水が流入し、流入水の汚物の残部を粉砕するとともに、流入するオゾンをマイクロバブルとしマイクロバブル混入の流入水に活性炭によりラジカルを発生させ、汚物の残部が混入した流入水の分解、脱色、脱臭などの浄化をさらに行なうものであり、浄化された流入水は清水タンク１１に送水管３８を通り戻され清水として再び使用することができる。【００１５】  従って、本発明の第２の実施形態の汚物処理装置５０は、便座１２よりの汚物が混入した汚水が浄化ユニット２０Ａ、２０ｂを通過し、簡潔構造でより確実に汚物混入の汚水を浄化することができる。
また、浄化ユニット２０Ａ、２０ｂにより浄化され清水タンク１１に戻された浄化水はさらに清水としてより確実に再び使用することができる。
なお、本発明の第２の実施形態の汚物処理装置５０は、浄化ユニット２０Ａと浄化ユニット２０Ｂとを連結する構成としたが、これに限定することなく３個以上の複数の浄化ユニットを連結し浄化する構成とすることもできる。【００１６】  本発明の汚物処理装置１０、５０は、トイレの便座の汚水の浄化を行うこととしたが、勿論業務用、一般家庭用、駅用、新幹線などの列車用など各種のものに使用でき、また、トイレの便座に限らず工場などの様々な汚物貯留槽の汚水の浄化に使用することができる。
また、汚物処理装置１０、５０は、オゾンをマイクロバブルにして混入することとしたが、これに限定することなく、過酸化水素などの気体や、ヒドロキシラジカルＯＨを始めとする活性ラジカル種などの液体の酸化物質を混入することもできる。
【産業上の利用可能性】
【００１７】  本発明の汚物処理装置は、トイレの便座に限らず、工場、介護施設、病院などの各種の汚物貯留槽に幅広く使用することができる。
【符号の説明】
【００１８】  １０  汚物処理装置
１１  清水タンク
１２  便座
２０、２０Ａ、２０Ｂ  浄化ユニット
２１  ストリーマ放電発生器
２３  汚水圧送ポンプ
２４  ラジカル発生槽
２４ａ  活性炭
５０  汚物処理装置
【図１】
2016079781.tif 000003
【図２】
2016079781.tif 000004